(57)【特許請求の範囲】
【請求項１】
生体の育成を支援する育成支援システムであって、
育成の状況を表す情報を記憶する記憶手段と、
育成の状況を評価する評価手段と、
現在の育成の状況を表す情報を取得する情報取得手段と、
前記記憶手段から、前記評価手段による評価が前記情報取得手段により取得された現在の育成の状況よりも優れている育成の状況を表す情報を、比較対象となる情報として抽出する抽出手段と、
前記抽出手段により抽出された比較対象となる情報と前記現在の育成の状況を表す情報とを比較することにより、前記現在の育成を行っているユーザに向けた支援情報を作成する作成手段と、
を備え、
前記作成手段は、前記抽出手段により抽出された比較対象となる情報に含まれる環境情報と、前記現在の育成の状況を表す情報に含まれる環境情報との差分を抽出し、当該差分を抑制するように促すためのアドバイスとしてのメッセージを前記支援情報として作成する育成支援システム。
【請求項２】
請求項１に記載の育成支援システムであって、
前記比較対象となる情報は、前記現在の育成の状況に対する前記評価手段による評価と近似した評価を有する育成の状況を表す情報から抽出される育成支援システム。
【請求項３】
請求項１または２に記載の育成支援システムであって、
前記比較対象となる情報は、前記現在の育成の状況を表す情報に近似した育成の状況を表す情報から抽出される育成支援システム。
【請求項４】
請求項１ないし３のいずれかに記載の育成支援システムであって、
前記記憶手段は、生体の育成を行うユーザに関する情報を記憶しており、
収穫された前記生体と前記記憶手段に記憶された前記ユーザに関する情報とに応じて、前記収穫された生体を使った献立を提案する献立提案手段をさらに備える育成支援システム。
【請求項５】
請求項４に記載の育成支援システムであって、
前記記憶手段に記憶されるユーザに関する情報は、前記ユーザによって忌避される食品に関する情報を含む育成支援システム。
【請求項６】
請求項４または５に記載の育成支援システムであって、
前記記憶手段に記憶されたユーザに関する情報に基づいて、前記ユーザの居住地における気象情報を取得する気象取得手段をさらに備え、
前記献立提案手段は、前記気象取得手段により取得された気象情報に応じて、前記ユーザに対する献立を提案する育成支援システム。
【請求項７】
請求項１ないし６のいずれかに記載の育成支援システムであって、
育成に関連する商品を取り扱う店舗に設置され、前記商品に関する情報を記憶するサーバ装置と、
前記抽出手段により抽出された比較対象となる情報と前記現在の育成の状況を表す情報とを比較した結果に応じて、前記商品の中から、前記現在の育成に適した商品を選択する商品提案手段と、
をさらに備え、
前記商品提案手段は、選択した商品に関する情報を前記サーバ装置から取得し、
前記作成手段は、前記商品提案手段により取得された商品に関する情報に基づいて、ユーザに対して前記商品を提案し、
提案された商品に対するユーザの購入意思に応じて、前記サーバ装置に対して当該商品を発注する育成支援システム。
【発明の詳細な説明】
【技術分野】
【０００１】
本発明は、動植物の育成に関するアドバイスを提供し、動植物の育成を支援する技術に関する。
【背景技術】
【０００２】
動植物の育成には人間のストレスを緩和して、癒しを得る効果があると言われている。また、動植物の育成は、幼少期の子供にとっての情操教育にも効果的であることが知られており、幼稚園や小学校等では鉢植えによる植物の栽培や、金魚やウサギ、ニワトリといった小動物の飼育が盛んに行われている。
【０００３】
加えて、昨今の食品偽装の問題により食の安全性に対する要求が高まっており、個人が庭やプランタ等で無農薬の有機野菜を栽培する例（家庭菜園）が増加してきている。このように、個人が自宅で野菜を栽培すると、「緑のカーテン」による室温低下やフードマイレージの抑制という効果もあって、家庭菜園はエコロジーにも貢献できるという側面がある。さらに、「メタボリックシンドローム」が注目を集めることによって、食生活を改善しようとする意識が高まっており、野菜を多く食するヘルシーメニューの人気が上昇していることも、家庭菜園の流行に拍車をかけている。
【０００４】
動植物の育成を行う場合、生体および育成のための道具類等を準備する必要があるが、それとともに、あらかじめ育成に関する最低限度の知識を得ておくことが重要である。このような知識は、一般的には、道具類を購入した店舗の店員に尋ねるか、専門書を読んだりすること等により得ることができる。
【０００５】
しかしながら、このような知識は、あくまでも一般論に終始するものであって、実際に生体を育成する個々の環境を反映した知識ではない。例えば、ある植物を育成するにあたって、「毎日の水やりが必要」という知識を得たとしても、水はけの悪い、湿度の高い環境においても「毎日の水やりが必要」なのか、雨が降った日は不要なのか、どの程度の降雨量であれば不要になるのか、といった知識は、結局、各自で育成してみなければわからないものである。また、その効果についても曖昧な場合が多い。例えば、一日でも怠ったら枯れてしまうのか、そこまで深刻ではないのかというようなことや、枯らさずに大きく育てるには水やりを欠かさないことが必要でも、糖度の高い甘い果実を得るには枯らさない範囲で限界まで水分を与えないことが大切だったりすることもある。
【０００６】
そこで、従来より植物の栽培に関して、栽培環境を反映した情報を収集して、実際の栽培に活用する技術が提案されている。このような技術が、例えば、特許文献１に記載されている。特許文献１には、植物環境測定装置によって観測した環境データを植物育成管理装置に送信し、育成に必要な育成ガイドを得るように構成した植物育成ガイドシステムが記載されている。
【先行技術文献】
【特許文献】
【０００７】
【特許文献１】特開２０１０−０７５１７２号公報
【発明の概要】
【発明が解決しようとする課題】
【０００８】
ところが、特許文献１に記載されている技術では、どのようにして育成ガイドを作成しユーザに提供するかが具体的でないという問題があった。特許文献１に記載されているようなシステムが成功するか否かは、育成ガイドの質に依存するといっても過言ではない。この育成ガイドが抽象的であれば、ユーザにとって価値のあるアドバイスとはならない。また、環境データに基づいて育成ガイドが提供されることについては記載されているものの、これだけでは、育成ガイドとして充分でないという問題があった。
【０００９】
本発明は、上記課題に鑑みてなされたものであり、動植物の育成に関してユーザに提供するアドバイスの質を向上する技術を提供することを目的とする。
【課題を解決するための手段】
【００１０】
上記の課題を解決するため、請求項１の発明は、生体の育成を支援する育成支援システムであって、育成の状況を表す情報を記憶する記憶手段と、育成の状況を評価する評価手段と、現在の育成の状況を表す情報を取得する情報取得手段と、前記記憶手段から、前記評価手段による評価が前記情報取得手段により取得された現在の育成の状況よりも優れている育成の状況を表す情報を、比較対象となる情報として抽出する抽出手段と、前記抽出手段により抽出された比較対象となる情報と前記現在の育成の状況を表す情報とを比較することにより、前記現在の育成を行っているユーザに向けた支援情報を作成する作成手段とを備え、前記作成手段は、前記抽出手段により抽出された比較対象となる情報に含まれる環境情報と、前記現在の育成の状況を表す情報に含まれる環境情報との差分を抽出し、当該差分を抑制するように促すためのアドバイスとしてのメッセージを前記支援情報として作成する。
【００１１】
また、請求項２の発明は、請求項１の発明に係る育成支援システムであって、前記比較対象となる情報は、前記現在の育成の状況に対する前記評価手段による評価と近似した評価を有する育成の状況を表す情報から抽出される。
【００１２】
また、請求項３の発明は、請求項１または２の発明に係る育成支援システムであって、前記比較対象となる情報は、前記現在の育成の状況を表す情報に近似した育成の状況を表す情報から抽出される。
【００１３】
また、請求項４の発明は、請求項１ないし３のいずれかの発明に係る育成支援システムであって、前記記憶手段は、生体の育成を行うユーザに関する情報を記憶しており、収穫された前記生体と前記記憶手段に記憶された前記ユーザに関する情報とに応じて、前記収穫された生体を使った献立を提案する献立提案手段をさらに備える。
【００１４】
また、請求項５の発明は、請求項４の発明に係る育成支援システムであって、前記記憶手段に記憶されるユーザに関する情報は、前記ユーザによって忌避される食品に関する情報を含む。
【００１５】
また、請求項６の発明は、請求項４または５の発明に係る育成支援システムであって、前記記憶手段に記憶されたユーザに関する情報に基づいて、前記ユーザの居住地における気象情報を取得する気象取得手段をさらに備え、前記献立提案手段は、前記気象取得手段により取得された気象情報に応じて、前記ユーザに対する献立を提案する。
【００１８】
また、請求項７の発明は、請求項１ないし６のいずれかの発明に係る育成支援システムであって、育成に関連する商品を取り扱う店舗に設置され、前記商品に関する情報を記憶するサーバ装置と、前記抽出手段により抽出された比較対象となる情報と前記現在の育成の状況を表す情報とを比較した結果に応じて、前記商品の中から、前記現在の育成に適した商品を選択する商品提案手段とをさらに備え、前記商品提案手段は、選択した商品に関する情報を前記サーバ装置から取得し、前記作成手段は、前記商品提案手段により取得された商品に関する情報に基づいて、ユーザに対して前記商品を提案し、提案された商品に対するユーザの購入意思に応じて、前記サーバ装置に対して当該商品を発注する。
【発明の効果】
【００１９】
請求項１ないし７に記載の発明は、育成の状況を表す情報を記憶する記憶手段と、育成の状況を評価する評価手段と、現在の育成の状況を表す情報を取得する情報取得手段と、記憶手段から、評価手段による評価が取得手段により取得された現在の育成の状況よりも優れている育成の状況を表す情報を、比較対象となる情報として抽出する抽出手段と、抽出手段により抽出された比較対象となる情報と現在の育成の状況を表す情報とを比較することにより、現在の育成を行っているユーザに向けた支援情報を作成する作成手段とを備え、作成手段は、前記抽出手段により抽出された比較対象となる情報に含まれる環境情報と、前記現在の育成の状況を表す情報に含まれる環境情報との差分を抽出し、当該差分を抑制するように促すためのアドバイスとしてのメッセージを前記支援情報として作成する。これにより、現在の育成の状況を評価して、当該評価の結果に応じて比較対象の情報を抽出することができ、単純に優れた結果が得られたときの育成の状況をトレースするような支援情報を作成する場合に比べて、現在の育成の状況に応じた支援情報を作成することができる。
【図面の簡単な説明】
【００２０】
【図１】本発明に係る育成支援システムを示す図である。
【図２】サーバ装置の構成を示す図である。
【図３】サーバ装置の機能ブロックをデータの流れとともに示す図である。
【図４】ユーザシステムの構成例を示す図である。
【図５】ユーザシステムを構成する端末装置およびセンサモジュールのブロック図である。
【図６】端末装置が備える機能ブロックをデータの流れとともに示す図である。
【図７】端末装置の表示部に表示されるメニュー画面を例示する図である。
【図８】育成支援システムにおいて実行される育成準備処理を示す流れ図である。
【図９】育成準備処理において表示される準備画面を例示する図である。
【図１０】育成支援システムにおける育成観察処理を示す流れ図である。
【図１１】育成支援システムにおける育成観察処理を示す流れ図である。
【図１２】育成観察処理において表示される観察画面を例示する図である。
【図１３】比較点における比較評価値を表示する例を示す図である。
【図１４】成果評価値を表示する例を示す図である。
【発明を実施するための形態】
【００２１】
以下、本発明の好適な実施の形態について、添付の図面を参照しつつ、詳細に説明する。
【００２２】
＜１．  実施の形態＞
図１は、本発明に係る育成支援システム１を示す図である。育成支援システム１は、サーバシステム１０と多数のユーザシステム１１とから構成されており、様々な動植物（生体）の育成を支援するシステムとして構成されている。
【００２３】
なお、以下の説明では、「生体」として、主に「植物」の育成を支援する例を用いて説明するが、育成支援システム１は、植物に限らず、動物や昆虫等の育成にも広く応用することができる。また、育成支援システム１を利用する者を単に「ユーザ」と称する。ユーザとしては、主に、動植物の育成を非営利目的で行う個人を想定するが、育成を営利目的で行う農家やブリーダー等が育成支援システム１のユーザとなったとしてもなんら差し支えない。
【００２４】
サーバシステム１０および各ユーザシステム１１は、図１に示すように、いずれもネットワーク９にデータ通信が可能な状態で接続されている。したがって、少なくとも各ユーザシステム１１は、サーバシステム１０との間でデータ通信が可能となっている。また、ユーザシステム１１は、他のユーザシステム１１との間でネットワーク９を介したデータ通信が可能とされていてもよい。
【００２５】
このような広域のネットワーク９としては、例えば、インターネットを想定することができるが、もちろんこれに限定されるものではない。また、様々な形態・方式のネットワークが互いに接続されてネットワーク９を構成していてもよい。また、サーバシステム１０および各ユーザシステム１１のネットワーク９への接続形態は、「有線」に限定されるものではなく、「無線」であってもよいし、常時接続に限定されるものでもない。さらに、データ通信は、電気信号に限定されるものではなく、光信号等であってもよい。
【００２６】
サーバシステム１０は、育成支援システム１を提供する企業や育成支援システム１に協賛する企業等に設置されることが想定されるシステムである。すなわち、サーバシステム１０は、育成支援システム１において、生体の育成に関する支援サービスを提供する側のシステムとしての機能を有する。
【００２７】
図１に示す例では、それぞれ異なるロケーションに設置される４つのサーバ装置２，３，４，５によってサーバシステム１０が構成されている。そして、各サーバ装置２，３，４，５は、いずれも一般的なコンピュータによって構成されている。なお、サーバシステム１０を構成するサーバ装置２，３，４，５は、あくまでも例示であって、サーバシステム１０を構成する装置（コンピュータ）の数はこれに限定されるものではない。
【００２８】
図２は、サーバ装置２の構成を示す図である。サーバ装置２は、例えば、ユーザシステム１１のプログラムを提供するソフトハウス（図１）や、当該ソフトハウスの依頼を受けたサイト運営会社等に設置されることが想定される。ただし、サーバ装置２を提供し運営する主体は、このような企業に限定されるものではない。また、サーバ装置２は、ユーザが独自のコミュニティとして個人的に設置してもよい。
【００２９】
図２に示すように、サーバ装置２は、各種データの演算を行うとともにサーバ装置２の各構成を制御するＣＰＵ２０を備えている。また、サーバ装置２は、各種データを必要に応じて適宜記憶する記憶装置としてＲＡＭ２１、ＲＯＭ２２およびハードディスク２３を備えている。さらに、サーバ装置２は、オペレータがサーバ装置２に対する指示や情報を入力するために操作する操作部２７と、当該オペレータに対して各種データや状態等を表示する表示部２８と、サーバ装置２をネットワーク９にデータ通信が可能な状態で接続する通信部２９とを備えている。これによりサーバ装置２は、先述のように、ネットワーク９を介してデータ通信を行うことが可能なコンピュータとしての構成および機能を有している。
【００３０】
サーバ装置２において比較的大容量の情報を長期的に記憶することが可能なハードディスク２３には、図２に示すように、ユーザＤＢ２３０、サーバＤＢ２３１および育成レシピＤＢ２３２が構築されている。なお、これらのデータベースは、それぞれを構成する独立したコンピュータによって実現し、サーバ装置２との間でデータ通信が可能な状態となるように構内ＬＡＮ等により接続されていてもよい。
【００３１】
ユーザＤＢ２３０には、育成支援システム１を利用するユーザごとにレコードが設けられている。ユーザＤＢ２３０を構成する各レコードに含まれる情報は、ユーザＩＤの他に、当該ユーザに固有の情報であって、例えば、ユーザ名、住所、ネットワークアドレス、育成環境、忌避食品に関する情報、育成レシピＩＤ（当該ユーザにより作成された育成レシピ情報８を識別する情報）、ユーザの育成レベル等の情報である。なお、ユーザＤＢ２３０に格納される育成環境は、ベランダ、畑、室内等の簡単な育成場所の種別である。
【００３２】
サーバＤＢ２３１は、サーバシステム１０を構成する他のサーバ装置３，４，５に関する情報を格納したデータベースである。サーバＤＢ２３１には、各サーバ装置３，４，５ごとに１つのレコードが設けられており、これらのサーバ装置３，４，５のネットワーク９上のアドレスや、取り扱っているサービス等に関する情報（商品ＩＤやサービスＩＤ等）が格納されている。
【００３３】
育成レシピＤＢ２３２は、生体ごとの育成のお手本となる基準レシピ情報（標準的な育成方法を示す情報）や、ユーザシステム１１から得られる情報（ユーザ情報６１１：図３）に基づいて作成される育成レシピ情報８を格納するデータベースである。育成レシピＤＢ２３２に格納される育成レシピ情報８には、個別に識別可能となるように固有の育成レシピＩＤが付与される。また、育成レシピＤＢ２３２に登録された育成レシピ情報８には公開・一部公開・非公開等の区別が付されており、育成者本人以外のユーザによる閲覧・ダウンロード等が制限される場合がある。
【００３４】
育成レシピ情報８には、育成対象を示す生体ＩＤ、当該生体に割り当てられているユーザシステム１１を特定するシステムＩＤ（例えば、ネットワークアドレス：１ユーザに複数のユーザシステム１１が存在することもある）、および、当該生体の育成者を示すユーザＩＤが格納されている。また、育成レシピ情報８には、図２に示すように、育成環境情報８０、事象情報８１および結果情報８２が含まれている。これらの情報から成る育成レシピ情報８は、生体の育成の状況を表す情報として構成されている。
【００３５】
なお、複数のセンサモジュール７（図４）から構成されるユーザシステム１１において複数の育成が並行して行われている場合には、システムＩＤに各センサモジュール７を識別するセンサＩＤを付加すればよい。さらに、複数回の育成が同一のユーザシステム１１にて行われた場合は、当該システムＩＤに時系列順の補助ＩＤを付加して識別すればよい。
【００３６】
育成レシピ情報８に含まれる環境情報８０は、生体の育成環境を表す情報であって、主に、センサモジュール７で測定された情報（センシングデータ）である。育成レシピ情報８には、生体の育成を開始した時点から、現在（または当該育成を終了した過去の時点）までにおける環境情報８０が履歴として格納されている。言い換えれば、環境情報８０によって、当該生体が育成期間中にどのような環境にあったかが記録されている。
【００３７】
ただし、本実施の形態における育成支援システム１においては、ユーザがユーザシステム１１を操作することにより環境情報８０を入力することも可能とされている。例えば、センサモジュール７が温度計を備えている場合における「温度」はセンシングデータとして得られるが、温度計を備えていない場合にはユーザにより入力されることもある。
【００３８】
事象情報８１は、動植物の育成に影響を与える事象を表す情報であって、当該動植物の育成中に発生したものを記録した情報である。事象としては、例えば、育成中の天気種別、ユーザが実施した作業種別（水やり、追肥、間引き、収穫、散歩、訓練、給餌、水替え等）、動植物の状態種別（発芽、開花、病気、繁殖等）、使用アイテム種別（育成に使用した各種道具類や、肥料、薬品、餌の種類等）等に関する情報である。
【００３９】
本実施の形態における事象情報８１は、環境情報８０のみによって特定することが困難な情報を分類して格納するための情報である。言い換えれば、事象情報８１は、センサモジュール７で自動的に検出することが比較的困難な情報である。
【００４０】
例えば、環境情報８０において土壌の水分量の増加が記録されていたとしても、その情報だけで当該水分量の増加が「降雨」によるものか、「水やり」によるものかを特定することは、通常、困難である。育成支援システム１は、事象情報８１を記録することにより土壌の水分量の増加が「水やり」によるものであることを記録することができ、後に、より具体的な分析が可能となる。
【００４１】
結果情報８２は、実際に育成された動植物の育成結果を表す情報である。結果情報８２としては、収穫量、繁殖数、品質、育成期間、観賞期間、費用あるいは評価値等が含まれるが、これらに限定されるものではなく、結果情報８２の内容は育成対象となっている動植物の種類等に応じて異なってもよい。
【００４２】
また、図示の都合上、図２において、ＣＰＵ２０が実行するプログラム２２０は、そのすべてがＲＯＭ２２に格納されている状態で示している。しかし、ＣＰＵ２０によって実行されるプログラム２２０の一部がハードディスク２３に格納されていてもよいし、ＣＤ−ＲＯＭのような着脱式の記憶媒体から適宜読み込まれ実行されてもよい。
【００４３】
図３は、サーバ装置２の機能ブロックをデータの流れとともに示す図である。図３に示す評価記録部２００、気象部２０１、献立提案部２０２、抽出部２０３、商品提案部２０４および栽培アドバイス部２０５は、サーバ装置２のＣＰＵ２０がプログラム２２０に従って動作することにより実現される機能ブロックである。
【００４４】
図３に示すユーザ情報６１１は、ユーザシステム１１において作成され、ネットワーク９を介して通信部２９により受信される情報である。
【００４５】
ユーザ情報６１１には、少なくとも当該ユーザ情報６１１を送信したユーザシステム１１を示すシステムＩＤが含まれている。したがって、サーバ装置２は、当該システムＩＤを検索キーとしてユーザＤＢ２３０を検索することにより、ユーザ情報６１１の送信者（ユーザ）を特定することができる。また、当該システムＩＤ（センサＩＤおよび補助ＩＤを含む）を検索キーとして育成レシピＤＢ２３２を検索することにより、当該ユーザシステム１１における個別の育成に対応した育成レシピ情報８を特定することができる。
【００４６】
このようにサーバ装置２は、「誰が」、「どの育成に関して」、このユーザ情報６１１を送信してきたかを判定することができる。先述のように、育成レシピ情報８は、過去から現在（または育成を終了した過去の時点）までの育成の状況を表す情報である。したがって、サーバ装置２は、現在の育成に関するユーザ情報６１１を受信し、対応する育成レシピ情報８を特定することにより、当該育成レシピ情報８から現在の育成の状況を表す情報を取得することが可能とされている。
【００４７】
なお、ユーザＤＢ２３０または育成レシピＤＢ２３２において、例えば、該当するレコードが存在しなかった場合、当該ユーザ情報６１１はそれらのレコードに関する新規登録であることがわかる。
【００４８】
この他にもユーザ情報６１１には、状況に応じて、様々な情報が含まれているが、詳細は随時説明する。
【００４９】
評価記録部２００は、ユーザ情報６１１に基づいてユーザＤＢ２３０や育成レシピＤＢ２３２を更新する機能を有している。
【００５０】
ユーザＤＢ２３０に対する更新事項としては、様々なものが存在するが、例えば、新たなユーザが育成支援システム１に参加したことによるレコードの追加や、脱退によるレコードの削除、登録ユーザの住所変更や育成環境の変化、あるいは、登録ユーザが新たな育成を開始したことによる育成レシピＩＤの追加、新たなユーザシステム１１の構築によるシステムＩＤの追加あるいは削除、最終ログイン日時の更新等である。また、育成レシピＤＢ２３２に対する更新事項としては、例えば、登録されている各育成レシピ情報８について、新たに得られた環境情報８０、事象情報８１および結果情報８２の追加・更新等である。これらの情報は、主にユーザ情報６１１により評価記録部２００に伝達されるが、もちろん操作部２７が操作されることにより入力されてもよい。
【００５１】
また、評価記録部２００は、図示しない基準値、あるいは、外部の評価基準（例えば、他のユーザからの投票結果等）に応じて、育成レシピＤＢ２３２に格納されている育成レシピ情報８についての評価（再評価を含む）を行い、当該評価を示す値を当該育成レシピ情報８の結果情報８２に格納する機能も有している。
【００５２】
なお、育成レシピ情報８に関する評価は、育成が終了した時点のみならず、育成が継続している間にもその時点までの評価として定期的に更新される。すなわち、継続中の育成に関しては、現在の育成の状況についても、評価記録部２００により評価がされ、記録される。以下、育成が終了した後に育成の成果（収穫量、品質、育成期間、費用、投票結果等）に基づいて行われる評価を「成果評価」と称し、育成の継続中に行われるその時点での評価を「仮評価」と称する。すなわち、「成果評価」および「仮評価」はいずれも結果情報８２として育成レシピ情報８に含まれている。
【００５３】
また、評価記録部２００は、抽出部２０３から伝達される育成レシピＩＤに応じて、当該育成レシピＩＤで特定される育成レシピ情報８を育成レシピＤＢ２３２から取得し、当該育成レシピ情報８における育成期間中の任意のときにおける評価を行う。
【００５４】
例えば、すでに収穫が終了し、育成が終了している育成レシピ情報８（最終的な評価は結果情報８２に格納されている）について、発芽時の育成の状況を評価したり、開花時の育成の状況を評価したりする。例えば、発芽時の育成の状況についての評価は、発芽時までに得られていた情報に基づいて育成レシピ情報８を評価することにより得ることができる。以下では、すでに成果評価の得られた育成レシピ情報８の育成期間中のある時点（以下、「比較点」と称する。）における評価を「比較評価」と称する。「比較評価」は、抽出部２０３から育成レシピＩＤとそれに対応する比較点とが伝達されたときに求められて抽出部２０３に伝達されるが、本実施の形態では、「比較評価」が結果情報８２として育成レシピ情報８に含められることはない。
【００５５】
ここで、評価記録部２００が、育成の状況について、育成の途中、あるいは、育成の終了後に当該育成の途中の評価をする手法について説明する。すなわち、「仮評価」および「比較評価」を求める手法について説明する。
【００５６】
まず、すでに育成が終了し、評価記録部２００による成果評価の得られた育成レシピ情報８を抽出する。このときの育成レシピ情報８の抽出は、比較の対象となる育成（支援対象となる育成）に近似したものに絞り込んでから抽出する。すなわち、「生体種別」、「状態」、「地域」、「地方」、「場所」等によってフィルタリングした後に、その中から成果評価の得られている育成レシピ情報８を抽出する。
【００５７】
次に、抽出された育成レシピ情報８に含まれる情報から、育成環境を表す特徴量（主に環境情報８０）と生体の状態情報（主に事象情報８１）とを抽出して、両者の組み合わせに重み付けを行い、成果評価と、当該成果評価が得られた育成の状況を表す情報との相関関係を求める。このような相関関係は、例えば、学習器による学習処理により求めることができる。
【００５８】
なお、育成環境を表す特徴量としては、例えば、土壌水分値や温度値、土中温度値、日照値等が考えられる。これらの値を比較可能とするためには、例えば、所定の期間分（例えば１日分）の情報に正規化することも有効である。例えば、土壌水分値や温度値、土中温度値等については１時間ごとの平均値と１時間ごとの分散値とに変換し、日照値については日毎の積算の平均値と日毎の積算の分散値とに変換するなどすればよい。
【００５９】
このようにして、成果評価と育成の状況を表す情報との相関関係（演算式）が求まれば、当該相関関係を用いて、育成の状況について、育成の途中、あるいは、育成の終了後に当該育成の途中の評価値（仮評価および比較評価）を求めることができる。
【００６０】
さらに、評価記録部２００は、成果評価値と同様に、ユーザ（ユーザＤＢ２３０に登録されているユーザ）の育成に関するレベルを判定し、ユーザＤＢ２３０の当該ユーザのレコードに格納されている育成レベル（評価値）を更新する。ユーザの育成レベルは、育成支援システム１において、様々な場面で表示され公表されるので、ユーザには自己の育成レベルを向上させようとするインセンティブが生まれる。
【００６１】
なお、育成レベルは、例えば、「ファーマーレベル２」のように総合的に評価されてもよいし、「トマトレベル３、ナスレベル１、・・・、トウモロコシレベル０」のように生体の品種ごとに評価されてもよいし、これらが併用されてもよい。また、複数回の育成に関して結果を総合的に評価してもよいし、最新の育成に関する結果により評価してもよいし、時系列に応じて重み付けをして評価してもよい。
【００６２】
気象部２０１は、地域ごとの気象情報（天気予報や気象記録）を気象予報センター（サーバ装置４）から取得して、生体に影響を与える事象を抽出し、これを気象報知情報２１１としてユーザシステム１１に向けて送信するよう通信部２９を制御する機能を有している。このように、育成が行われている環境における気象を予め推測し、ユーザに対して気象報知情報２１１により報知することにより、育成における最悪の事態を回避することができる。
【００６３】
さらに、本実施の形態における気象部２０１は、育成レシピＤＢ２３２に登録されている育成レシピ情報８を参照し、以前の類似する気象が以前の育成の状況に与えた影響等を判定して気象報知情報２１１を作成する。
【００６４】
地理的に近いために同じ天気予報が適用され得る育成環境であっても、育成場所が「地植え」であるか「高層マンションのベランダに置かれたプランタ」であるかによって、事態の深刻さは異なるものである。育成支援システム１は、育成レシピ情報８を参照することにより、気象予報センターから得られる地域ごとの気象情報よりも、より支援対象となる育成に特化した、適切な気象報知情報２１１を提供できる。
【００６５】
なお、本実施の形態における育成支援システム１では、天気予報をサーバ装置４から取得する例で説明するが、観測された情報（例えばユーザ情報６１１に含まれる環境情報８０）に応じて気象部２０１が天気予報を行ってもよい。
【００６６】
献立提案部２０２は、ユーザ情報６１１に応じて、収穫された生体を使った献立を立案し、ユーザに献立情報２１２を提供する機能を有する。献立提案部２０２は、献立を立案するに際して、ユーザ情報６１１に示される情報やユーザＤＢ２３０に示されるユーザに関する情報、育成レシピＤＢ２３２に示される結果情報８２、ネットワーク９を介してお料理サイト（主にサーバ装置５によって提供される）から得られる情報等を参照する。
【００６７】
献立提案部２０２は、ユーザ情報６１１に示される育成レシピＩＤを検索キーとして育成レシピＤＢ２３２を検索する。これにより当該データベースから該当する育成レシピ情報８を特定し、当該育成レシピ情報８に含まれる結果情報８２（食材としての収穫物種別や収穫量、評価値で表される品質、過去の献立等が記録されている）を抽出する。このようにして、献立提案部２０２は、収穫された生体と、その収穫量等を特定する。
【００６８】
このとき、献立提案部２０２は、同じユーザの他の育成レシピ情報８（同一のユーザＩＤが付与されている）を参照することにより、当該他の育成レシピ情報８からも結果情報８２を取得し、当該ユーザの手持ちの食材として参考にする。例えば、夏野菜を栽培し育成しているユーザは、トマトやナス、キュウリ、インゲン等を同時並行的に栽培しているケースが多い。このようなユーザに対して、本実施の形態における育成支援システム１は、同一のユーザにおける他の育成レシピ情報８も参照することにより、これらの食材を複合的に取り込んだ献立を提案できる。
【００６９】
なお、ユーザ情報６１１に示される情報とは、主に収穫物以外の手持ちの食材等の情報である。また、ユーザＤＢ２３０に示されるユーザに関する情報とは、当該ユーザのアレルギー（アレルギー反応のある食材を使う料理を回避する）や好き嫌い等の忌避食品に関する情報である。
【００７０】
さらに、献立提案部２０２は、ユーザの居住地における気象情報を、気象予報センター（サーバ装置４）から取得し、当該気象情報に応じて、献立を提案する。例えば、最近の気象として高温多湿が記録されている場合には、夏バテ防止メニューや冷製メニューを優先的にリストアップする。これにより、ユーザに対して近時の気候に適した献立を提案することができる。なお、どの献立にどのような効果（例えば、夏バテ防止）があるかについては、サーバ装置４において、各献立に関連づけられた情報等を参照するとよい。
【００７１】
抽出部２０３は、ユーザ情報６１１や気象部２０１から得られる条件に応じて、ユーザＤＢ２３０や育成レシピＤＢ２３２を検索し、各データベースから適切なレコードを抽出して、気象部２０１または栽培アドバイス部２０５に伝達する。
【００７２】
また、抽出部２０３は、ユーザ情報６１１に示されるシステムＩＤを検索キーとして育成レシピＤＢ２３２を検索し、当該システムＩＤによって示されるユーザシステム１１において現在継続中の育成レシピ情報８（現在の育成の状況を表す情報）を特定する。このようにして特定された育成レシピ情報８は、当該ユーザ情報６１１に対応する育成レシピ情報８であり、当該ユーザシステム１１における現在の育成の状況を表す育成レシピ情報８である。言い換えれば、当該育成レシピ情報８で示される育成に関するユーザ情報６１１がサーバ装置２において受信されたことを意味し、当該育成が支援対象であることを示す。すなわち、抽出部２０３は、ユーザ情報６１１に応じて、支援対象となる育成の状況を表す育成レシピ情報８（現在の育成の状況を表す情報）を特定し抽出する機能を有している。
【００７３】
支援対象となる育成の状況を表す育成レシピ情報８は、栽培アドバイス部２０５に伝達されるとともに、当該支援対象となる育成の比較対象となる情報を特定し抽出するためにも使用される。
【００７４】
抽出部２０３は、支援対象となる育成の状況を表す育成レシピ情報８（現在の育成の状況を表す情報）と、育成レシピＤＢ２３２に格納されている育成レシピ情報８とを比較する。そして、支援対象となる育成の状況を表す育成レシピ情報８に近似した育成の状況を表す育成レシピ情報８を、比較対象となる情報の候補として育成レシピＤＢ２３２から抽出する。
【００７５】
さらに、抽出部２０３は、比較対象となる情報の候補として抽出した育成レシピ情報８の育成レシピＩＤを評価記録部２００に伝達する。また、このとき抽出部２０３は、支援対象となる育成の状況を表す育成レシピ情報８から、現在の生体の状態に関する情報（事象情報８１に含まれている情報）を抽出して、上記の育成レシピＩＤとともに評価記録部２００に伝達する。
【００７６】
評価記録部２００に伝達される事象情報８１は、比較評価を求める際の、比較点を決定するための情報として扱われる。例えば、現在の生体の状態が「発芽」状態として事象情報８１に記録されているのであれば、比較点は「発芽」状態のときとなる。これにより、評価記録部２００によって、比較対象となる情報の候補として抽出された育成レシピ情報８のそれぞれについて比較評価が求められ、抽出部２０３に伝達される。
【００７７】
抽出部２０３は、支援対象となる育成の状況を表す育成レシピ情報８の結果情報８２から仮評価値を取得し、評価記録部２００から伝達される比較評価値と比較する。そして、比較対象となる情報の候補として抽出した育成レシピ情報８から、仮評価値よりも高い（優れた）比較評価値である育成レシピ情報８をさらに抽出する。
【００７８】
すなわち、抽出部２０３は、ハードディスク２３に記憶されている育成レシピＤＢ２３２から、評価記録部２００による比較評価が現在の育成の状況（仮評価）よりも優れている育成の状況を表す育成レシピ情報８を、比較対象となる情報として抽出する機能を有している。このように、現在の育成の状況を評価（仮評価）して、当該仮評価の結果に応じて比較対象の育成レシピ情報８を抽出することにより、現在の育成の状況に応じた栽培アドバイス情報２１３を作成することができる。
【００７９】
本実施の形態における抽出部２０３は、仮評価値よりも優れた比較評価値である育成レシピ情報８を抽出した後、さらに、仮評価値と近似した比較評価値を有する育成レシピ情報８を、比較対象となる育成レシピ情報８として特定する。例えば、仮評価値が「３」の場合において、比較評価値が「４」の育成レシピ情報８と、比較評価値が「５」の育成レシピ情報８とが抽出された場合、抽出部２０３は、比較評価値が「４」の育成レシピ情報８を比較対象となる育成レシピ情報８として抽出する。
【００８０】
このようにして抽出部２０３により抽出された育成レシピ情報８は、比較対象となる情報として栽培アドバイス部２０５に伝達される。比較評価値が高評価であっても、現在の育成の状況とかけ離れた比較評価値のものは参考にならない場合がある。すなわち、現在の育成の状況（仮評価）よりも優れており、かつ、近似した仮評価のものを指標とすることにより、実現性が向上する。
【００８１】
また、気象部２０１から地域に関する条件を伝達されると、抽出部２０３は、当該地域を検索キーとして育成レシピＤＢ２３２を検索する。そして、該当する地域の育成レシピ情報８を抽出して気象部２０１に伝達する。これは、気象部２０１が気象報知情報２１１の送信先を検索することに相当する。
【００８２】
商品提案部２０４は、栽培アドバイス部２０５から示される条件に適合した商品を、ネットワーク９上に設置されたバーチャルショップ（主にサーバ装置３により提供される）から検索し、当該商品を購入するために必要な情報を栽培アドバイス部２０５に伝達する機能を有している。
【００８３】
詳細は後述するが、栽培アドバイス部２０５から伝達される条件とは、過去および現在の育成の状況に応じた条件である。したがって、育成支援システム１は、これら育成の状況に応じて、市場の商品を提案することにより、より具体的な育成支援を行うことができる。例えば、単に栄養素の「窒素」が不足しているとアドバイスされるよりも、窒素を補う肥料の具体的な商品名がアドバイスされた方がユーザにとっては対処しやすく、親切なアドバイスといえる。
【００８４】
栽培アドバイス部２０５は、ユーザ情報６１１に応じて、ユーザに求められたサービスのうち、特に、栽培に関する支援情報（栽培アドバイス情報２１３）を作成し、ユーザシステム１１に向けて送信するように通信部２９を制御する。
【００８５】
栽培アドバイス部２０５は、抽出部２０３により抽出され伝達された育成レシピ情報８（現在の育成の状況を表す情報）と、比較対象となる情報として抽出部２０３により抽出され伝達された育成レシピ情報８とを比較する。より詳しくは、２つの育成レシピ情報８に含まれるそれぞれの環境情報８０の差分を抽出し、当該差分を抑制するように栽培アドバイス情報２１３を作成する。
【００８６】
例えば、比較対象となる育成レシピ情報８における日照値が、現在の育成の状況を表す育成レシピ情報８よりも高い場合には、「日向に移動させてください」といったメッセージを栽培アドバイス情報２１３に含める。また、例えば、比較対象となる育成レシピ情報８における水分の分散値が、現在の育成の状況を表す育成レシピ情報８よりも高い場合には、「水やりの回数を減らしてください」といったメッセージを栽培アドバイス情報２１３に含める。
【００８７】
なお、栽培アドバイス部２０５は、求めた差分値のうち、予め設定した閾値よりも大きいものを、当該差分値の大きいものから順に順位付けし、当該順位付けに従って、それぞれの差分値を抑制するためのアドバイスを栽培アドバイス情報２１３に含める。例えば、差分値が閾値を超えたものが、日照値と水分値であり、日照値の差分値の方が水分値の差分値よりも大きい場合は、「日向に移動させてください」というメッセージを第１アドバイスとし、第２アドバイスとして「水分を控えてください」というメッセージを栽培アドバイス情報２１３とする。ただし、ユーザ情報６１１において、ユーザが、所望するアドバイスを指定している場合には、当該指定されている事項についてのアドバイスを行う。例えば、ユーザが水分に関するアドバイスを所望している場合には、水分に関するアドバイスを優先的に行う。
【００８８】
図１に戻って、サーバシステム１０を構成するサーバ装置３は、育成に関連する商品を取り扱う販売店に主に設置されるコンピュータで構成される。なお、販売店としては、育成に必要な用具類を取り扱うホームセンターやスーパーマーケット、百貨店、一般の商店等が想定されるが、通常は一般消費者向けの個別販売を行っていない用具メーカやネットショップ、代理店、卸売り店、通販業者等であってもよい。また、販売店は、生体自体を商品として取り扱うペットショップや個人のブリーダー、農家、種苗メーカ等であってもよい。
【００８９】
サーバ装置３は、サーバシステム１０において、ネットワーク９上の仮想店舗（バーチャルショップサイト）を構成しており、育成に関連した商品に関する情報を記憶している。育成支援システム１におけるユーザは、ユーザシステム１１およびネットワーク９を介して、サーバ装置３において提供されている各種商品（サービスを含む）を閲覧したり購入したりすることが可能となっている。
【００９０】
本実施の形態における育成支援システム１は育成レシピＤＢ２３２を構築することによりユーザの育成の状況を正確に把握しており、商品提案部２０４が当該ユーザの育成の状況に応じた適切な商品等を購入できるようにユーザをサーバ装置３に誘導する。これにより、育成支援システム１は、ユーザに対して、商品等の購入支援も行うことができる。また、サーバ装置３を設置した販売店にとっては、顧客誘導がされるため、販売促進に効果を発揮する。
【００９１】
サーバ装置４は、地域に応じた気象情報を提供する気象予報センターに設置されるコンピュータで構成される。サーバ装置４が提供する気象情報は、過去の気象に関する情報（気象記録）の他に、未来の気象に関する情報（天気予報）も含まれている。したがって、育成支援システム１では、サーバ装置４にアクセスすることによって、任意の地域の任意の日時における気象情報を、必要に応じて取得することが可能とされている。
【００９２】
サーバ装置５は、例えば、図１に示すように、ネットワーク９上でお料理サイト等を運営する調理師学校等に設置されるコンピュータである。このようなお料理サイトでは、様々な料理のレシピが公開され、一般に利用可能とされている。育成支援システム１では、サーバ装置２の献立提案部２０２が、このようなお料理サイトにユーザを誘導することにより、単なる育成支援に留まらず、育成の成果として得られた収穫物の効果的な利用法を積極的に提案することができる。
【００９３】
図４は、ユーザシステム１１の構成例を示す図である。ユーザシステム１１は、ユーザによって操作される端末装置６、および、動植物を育成する環境に設置されるセンサモジュール７から構成される。
【００９４】
端末装置６は、一般的なコンピュータとしての機能を有する装置であって、前述のようにネットワーク９に接続する機能を有している。また、端末装置６はセンサモジュール７との間においてもデータ通信が可能とされている。
【００９５】
ユーザシステム１１を構成する端末装置６としては、パーソナルコンピュータ以外にも、例えば、ゲーム機や携帯電話機、専用端末装置等が想定される。なお、端末装置６は、互いにデータのやり取りが可能な複数の装置（例えば、図１に示すように、パーソンルコンピュータとデジタルカメラ）から構成されていてもよい。
【００９６】
育成支援システム１を構成する複数のユーザシステム１１において、全ての端末装置６が共通のハードウェアで統一されている必要はない。すなわち、状況や目的に応じて、それぞれのユーザシステム１１ごとに採用する端末装置６が異なっていてもよい。例えば、携帯電話機を所有するユーザは当該携帯電話機を端末装置６として自身のユーザシステム１１を構築することができる一方で、ゲーム機を所有するユーザは当該ゲーム機を端末装置６として自身のユーザシステム１１を構築することができる。
【００９７】
このように、ユーザは、独自に所有する装置（ハードウェア）に、育成支援システム１に関する専用のプログラムをダウンロード（あるいはインストール）することにより、自身のユーザシステム１１を容易に構築できる。これにより、ユーザは、ユーザシステム１１を構成するすべての装置を新たに購入する場合に比べて、育成支援システム１に参加する際のコストを抑制することができる。このように、育成支援システム１は、非営利目的の個人が費用をかけずに気軽に参加できるシステムとなっており、参加者（ユーザ）をより多く集めることができる。
【００９８】
なお、以下では、特に断らない限り、図４に示すように、市販の携帯型のゲーム機によって端末装置６が構成されているユーザシステム１１を例に説明する。動植物の育成は屋外で行われることも多く、携帯型の装置を端末装置６として採用すれば、育成中の生体の近傍に端末装置６を持参することができ、便利である。
【００９９】
図５は、ユーザシステム１１を構成する端末装置６およびセンサモジュール７のブロック図である。
【０１００】
端末装置６は、制御部としてのＣＰＵ６０および記憶装置６１と、入力部としての操作部６２と、出力部としての表示部６３およびスピーカ６４と、外部装置との間のインタフェースとしての通信部６５とを備えている。なお、図５では図示を省略しているが、端末装置６は、タイマとカレンダー情報とを備えている。
【０１０１】
ＣＰＵ６０は、記憶装置６１に記憶されているプログラム６１０に従って動作することにより、各種データの演算を行うとともに、端末装置６が備える各構成を制御する。これによって端末装置６は、先述のように、プログラム６１０を実行する一般的なコンピュータとしての機能を有している。なお、ＣＰＵ６０によって実現される機能の詳細については、後述する。
【０１０２】
記憶装置６１は、例えば、ＣＰＵ６０の一時的なワーキングエリアとして使用されるＲＡＭや、読み取り専用のＲＯＭ、端末装置６に対して着脱自在なメモリカードやゲームカートリッジ等により構成される。なお、記憶装置６１として、比較的大容量のデータを記憶することが可能なハードディスクを備えていてもよい。記憶装置６１は、端末装置６において各種データを記憶する装置であって、特に、プログラム６１０や育成レシピ情報８および測定情報７９を記憶する。
【０１０３】
記憶装置６１に記憶される育成レシピ情報８は、１つのレコードを単位とする情報の集合体である。育成レシピ情報８の各レコードは、それぞれが動植物（生体）の育成を１回開始するごとに作成される。すなわち、１回の育成において得られた様々な情報が、育成レシピ情報８における１つの共通のレコードを構成するように互いに関連づけられており、育成レシピ情報８の各レコードは、それぞれのレコードに対応する生体の育成を記録した情報に相当する。
【０１０４】
育成レシピ情報８の各レコードに含まれる情報としては、レコード識別情報の他に、すでに説明したように、育成された動植物の育成環境を表す環境情報８０、生体に影響を与える事象を表す事象情報８１、および、育成の結果や成果、評価値等を示す結果情報８２がある。各レコードには、これらの情報以外にも、レコードに対応する育成を行ったユーザのユーザＩＤ、未だ育成中か育成が終了したのかを識別する情報等が含まれるが、もちろんこれらは例示であって、これ以外の情報が含まれていてもよい。また、前述の例に挙げた情報は、必ずしもレコード作成時に全て含まれているわけではない。レコードに含まれる情報は、特定のレコードにのみ含まれる情報や、育成の進行過程や育成後に付与される情報も存在する。
【０１０５】
なお、本実施の形態における育成支援システム１では、育成レシピ情報８は、ユーザ情報６１１に基づいて、サーバ装置２の評価記録部２００により作成・編集され、育成レシピＤＢ２３２に登録・更新される。したがって、記憶装置６１に記憶される育成レシピ情報８は閲覧のためにサーバ装置２からダウンロードされた情報である。ただし、育成レシピ情報８は、端末装置６で作成され、サーバ装置２に送信されてもよい。
【０１０６】
育成レシピ情報８に含まれる結果情報８２は、先述のように、実際に育成された動植物の育成結果を表す情報であり、例えば、収穫量、数、糖度、大きさ、色つや、開花期間、育成期間、育成した動物に関する病気履歴、繁殖の有無、寿命、習得した芸の数、費用、育成に対する評価値等が想定される。
【０１０７】
本実施の形態では、結果情報８２は、ユーザによって入力される例で説明するが、結果情報８２は「正確」かつ「客観的」であることが好ましい。したがって、端末装置６（ユーザシステム１１）は、結果情報８２を正確に取得するための専用の入力装置（糖度計、重量計等）を備えていてもよい。あるいは、撮像部（図示せず）により取得される画像情報に基づいて、結果情報８２が作成されてもよい。
【０１０８】
先述のように、育成された動植物の育成結果を表す結果情報８２は、育成レシピ情報８において、当該動植物の育成環境を表す環境情報８０とともに１つのレコードを構成する。すなわち、１回の育成において得られた環境情報８０と、当該育成における結果情報８２とが、育成レシピ情報８において互いに関連づけられる。
【０１０９】
操作部６２は、キーやボタン類、マウス、タッチペン等のハードウェアであり、ユーザによって操作される。ユーザは、操作部６２を適宜操作することにより、端末装置６に各種情報を入力する。特に、操作部６２は、ユーザ情報６１１および結果情報８２を入力するために操作される。
【０１１０】
表示部６３は、液晶パネルやディスプレイ、ＬＥＤ、ランプ等の視覚的な出力装置である。端末装置６は、表示部６３に各種情報を表示することにより、ユーザに適宜情報を提供する。特に、表示部６３は、ユーザがユーザシステム１１に対して各種情報を入力するためのＧＵＩを表示するとともに、サーバ装置２から送信された気象報知情報２１１、献立情報２１２および栽培アドバイス情報２１３を表示する機能を有している。
【０１１１】
スピーカ６４は、ＣＰＵ６０からの制御信号に応じて音声を再生する聴覚的な出力装置である。スピーカ６４によって再生される音声とは、ガイダンス、各種メッセージ、生体の鳴き声、育成環境の悪化を報知する警告音あるいはＢＧＭ等である。
【０１１２】
通信部６５は、端末装置６をネットワーク９に無線により接続する機能と、端末装置６とセンサモジュール７との間の無線によるデータ通信を行う機能とを有している。通信部６５が備える構成としては、赤外線による無線通信や、ＷｉＦｉ（Wireless Fidelity）等を実現する構成が従来より知られているが、もちろんこれらに限定されるものではないし、通信部６５は複数の無線方式や有線方式を併用する構成であってもよい。
【０１１３】
図６は、端末装置６が備える機能ブロックをデータの流れとともに示す図である。図６に示すデータ作成部６００および出力制御部６０１は、主に、ＣＰＵ６０がプログラム６１０に従って動作することにより実現される機能ブロックである。
【０１１４】
データ作成部６００は、様々な情報に基づいて、ユーザ情報６１１を作成する機能を有している。
【０１１５】
例えば、データ作成部６００は、ユーザが端末装置６を操作してプログラム６１０を起動したときに、ユーザが育成支援システム１にログインしたことを示すユーザ情報６１１を作成する。
【０１１６】
また、データ作成部６００は、センサモジュール７から送信された測定情報７９に基づいて、当該生体の育成環境を表す環境情報８０を作成し、当該生体に対応した育成レシピ情報８を示す育成レシピＩＤとともにユーザ情報６１１に格納する。測定情報７９は、育成中の生体の近傍において周囲の環境（すなわち育成環境）を表す各パラメータについて測定された測定値である。
【０１１７】
また、データ作成部６００は、ユーザによって操作部６２が操作されたときに、操作部６２から入力される情報に基づいて、ユーザ情報６１１を作成する。このようにして作成される情報とは、主に、テキスト情報（文字情報）である。すなわち、ユーザは、操作部６２を操作して、育成支援システム１に対して、育成に関する問い合わせや報告をすることができる。このような問い合わせとしては、献立情報２１２や栽培アドバイス情報２１３を要求するものが想定される。
【０１１８】
出力制御部６０１は、ユーザが様々な情報（例えば、ユーザ情報６１１等）を入力する際にこれを支援するＧＵＩを表示部６３に表示させる機能を有している。ユーザは、出力制御部６０１によって表示されるＧＵＩに従って操作部６２を操作することにより、これらの情報を容易かつ正確に入力することができる。
【０１１９】
また、出力制御部６０１は、スピーカ６４を制御し、ガイダンスや警告音、ＢＧＭ等をスピーカ６４によって再生する。例えば、ＢＧＭに関しては、育成環境（環境情報８０）に応じて、出力制御部６０１が軽快でリズミカルな曲やシリアスな曲などから選曲するように構成するとよい。
【０１２０】
また、出力制御部６０１は、サーバ装置２から受信した気象報知情報２１１、献立情報２１２および栽培アドバイス情報２１３を表示部６３に表示させる。これにより、ユーザは、これらの情報を容易に確認できる。なお、気象報知情報２１１は、ブザーや警告音としてスピーカ６４に出力してもよい。
【０１２１】
さらに、出力制御部６０１は、必要に応じて作成されたユーザ情報６１１を通信部６５に送信させることにより、これらの情報をサーバ装置２に向けて出力させる機能も有している。
【０１２２】
図５に戻って、センサモジュール７は、ＭＣＵ７０、操作ボタン７１、ＬＥＤ７２、照度センサ７３、土壌センサ７４、温度計７５、湿度計７６およびＲＦ回路７７を備えている。
【０１２３】
本実施の形態におけるセンサモジュール７は、育成環境のうち植物の育成に影響を与えるパラメータについての値を測定することにより測定情報７９を取得して端末装置６に送信する機能を有している。測定情報７９は、前述のように、端末装置６において環境情報８０となる。すなわち、センサモジュール７は、動植物の育成環境を表す環境情報８０を取得する機能を有している。
【０１２４】
図４に示すように、本実施の形態におけるセンサモジュール７は、防水処理が施された比較的小型の筐体に上記の各構成がコンパクトに収納された一体型の装置を形成しており、土壌センサ７４が下方に突出した形状を有している。本実施の形態におけるセンサモジュール７は土壌センサ７４を土に差し込んだ状態で設置される装置であり、図示しない電池からの電力供給により動作する。
【０１２５】
なお、図４では、１つのセンサモジュール７のみを図示しているが、１つのユーザシステム１１が備えるセンサモジュール７の数は１つに限定されるものではない。ユーザシステム１１が複数のセンサモジュール７を備える場合、個々のセンサモジュール７を識別するためのセンサＩＤを、それぞれに付与して管理するとよい。
【０１２６】
また、照度センサ７３、土壌センサ７４、温度計７５および湿度計７６は、植物の育成環境を表す情報を取得する検出装置の例であって、センサモジュール７が備える検出装置は必ずしもこれらに限定されるものではない。例えば、上方に向けて引き出して育成している植物の高さを計測するメジャー（測長計）を内蔵していてもよい。また、センサモジュール７は、これらの検出装置のうちの全部を備えている必要もない。センサモジュール７は、観測の対象となる「生体」の種類や必要に応じて、予め必要な１つ以上の検出装置類が組み込まれていればよい。
【０１２７】
ＭＣＵ７０は、プログラム７００に従って動作する演算装置、プログラム７００を格納するＲＯＭ、作成された測定情報７９等の各種情報を一時的に記憶するメモリ、時間を計測するタイマ（発振器）等から構成され、センサモジュール７の各構成を制御する機能を有している。すなわち、センサモジュール７はマイクロコンピュータとしての構成および機能を有している。
【０１２８】
操作ボタン７１は、ユーザによって操作され、センサモジュール７に必要な情報を入力するために使用される。操作ボタン７１から入力される情報としては、例えば、センサモジュール７に対して育成の開始を指示する情報や、リセット情報等が想定される。
【０１２９】
ＬＥＤ７２は、点灯状態によって、主に、育成環境の悪化をユーザに警告するために用いられる。本実施の形態では、ＬＥＤ７２の点灯状態は、プログラム７００に含まれる基準値（許容値）と、取得された測定情報７９とをＭＣＵ７０が比較することによって制御される。なお、基準値は、育成の対象となった生体に応じて、端末装置６から送信されてもよい。また、ＬＥＤ７２の点灯状態は、センサモジュール７の動作状態を表現するために用いられてもよい。
【０１３０】
照度センサ７３は、設置環境における照度（光強度）を検出して、ＭＣＵ７０に伝達する。
【０１３１】
例えば、植物の種類（品種）に応じて光飽和点および光補償点は異なっており、照度に対する植物の特性はそれぞれ異なっていることが知られている。なお、光飽和点とは光合成速度がほぼ一定になる点であり、光補償点とは呼吸による二酸化炭素の放出量と光合成による二酸化炭素の吸収量とが等しくなる点である。
【０１３２】
育成支援システム１は、このような各生体ごとの特性に関する情報を予め記憶している。すなわち、育成支援システム１（端末装置６）は、照度センサ７３によって計測される照度（測定情報７９）に基づいて、育成環境の適否を判断することができる。したがって、プランタや鉢植えの移動を促したり、間引きを行うようにユーザに対してアドバイスすることができる。
【０１３３】
なお、照度センサ７３は、光の波長ごとに光強度を計測する機能を有している。例えば植物の場合は、色素の生合成、光周性、屈光性、形態形成等の生理的に影響を与えるため必要な生理的有効放射（300〜800nmの波長の光）と、光合成のエネルギー源となるため強い光強度を必要とする光合成有効放射（400〜700nmの波長の光）と、有害な波長の光とがある。
【０１３４】
土壌センサ７４は、栽培されている植物が植えられている土壌（センサモジュール７が設置されている土壌）のｐＨ値やＥＣ値（電気伝導度）、およびインピーダンス（水分量の指標となる）を検出して、ＭＣＵ７０に伝達する。
【０１３５】
一般に、土壌が酸性（ｐＨ＝５以下）になると、石灰・苦土・ホウ素、リン酸等の養分が吸収しにくくなり不足する。また、アルカリ性（ｐＨ＝７以上）になると、石灰・苦土が多すぎ、鉄・マンガン等の微量要素の欠乏やリン酸の吸収低下が起こりやすくなる。さらに、ｐＨ値は土壌の微生物の活動にも関連し、植物の育成に影響を与える。植物を育成する場合には、当該植物の種類や状態によって土壌の適正なｐＨ値が異なることも知られている。
【０１３６】
また、植物の栽培に影響を与えるｐＨ値とＥＣ値との間には相関関係が存在するため、ＥＣ値によって水に溶けた肥料（主に硝酸態窒素）の量を検出できる。一般に、純粋な水は、ほぼＥＣ値が「０」であり、多くのイオンが溶解しているほどＥＣ値は高くなる傾向にある。
【０１３７】
育成支援システム１（端末装置６）は、土壌センサ７４によって計測されるＥＣ値（測定情報７９）に応じて、追肥等の処置等を促すとともに、追肥すべき肥料の種類や現状放置による危険性、あるいはどのような危険があるのか等をアドバイスすることができる。したがって、ユーザによる植物の育成を適切に支援できる。
【０１３８】
さらに、土壌センサ７４によって取得されるインピーダンスから土壌の水分量が検出できるので、育成支援システム１はインピーダンスの値（測定情報７９）に応じて「水やり」を促すことができる。
【０１３９】
また、温度計７５は、設置環境における温度（気温）を検出して、ＭＣＵ７０に伝達する。さらに、湿度計７６は、設置環境における湿度を検出して、ＭＣＵ７０に伝達する。一般に、育成環境における温度や湿度も植物の育成に影響を与える重要な環境パラメータである。
【０１４０】
前述のＭＣＵ７０は、照度センサ７３、土壌センサ７４、温度計７５、および、湿度計７６から取得した値（生体の育成環境を表す情報）に基づいて測定情報７９を作成し、一時的に記憶する。このようにして作成される測定情報７９は、生体の育成環境を表す値とともに、当該値の取得時刻を表す値を含んでいる。
【０１４１】
ＲＦ回路７７は、端末装置６とセンサモジュール７との間における、無線によるデータ通信を実現する機能を有している。特に、ＲＦ回路７７は、ＭＣＵ７０によって作成された測定情報７９を端末装置６に向けて送信する。
【０１４２】
以上が、ユーザシステム１１の構成および機能についての説明である。なお、ユーザシステム１１としては、アプリケーションソフトとしてのプログラム６１０と、センサモジュール７と、トライアルアイテム（植物の種、ミニプランタ、土壌等）とをセットにして、販売することが好ましい。あるいは、プログラム６１０が推奨するアイテムに、共通の認定マーク等を付して販売し、ユーザが購入しやすくすることが好ましい。
【０１４３】
以上が育成支援システム１の構成および機能の説明である。次に、育成支援システム１を用いて、動植物（生体）の育成を支援する育成支援方法について説明する。
【０１４４】
ユーザは、育成の各段階（状況）に応じて、育成支援システム１から当該育成に関する様々な支援を受けることが可能とされている。ユーザは、育成支援システム１による支援を所望するとき、あるいは、将来、支援を受けるために必要となる各種情報を入力する必要が生じたとき等に、端末装置６の操作部６２を操作して、記憶装置６１に記憶されているプログラム６１０を起動する。
【０１４５】
図７は、端末装置６の表示部６３に表示されるメニュー画面６３０を例示する図である。端末装置６は、ユーザによってプログラム６１０が起動されると、所定の初期設定を実行した後、図７に示すメニュー画面６３０を表示する。メニュー画面６３０は、ＧＵＩを構成しており、出力制御部６０１によって作成され表示部６３に表示される。
【０１４６】
なお、初期設定では、ユーザが育成支援システム１にログインしたことを示すユーザ情報６１１がデータ作成部６００により作成され、通信部６５によってサーバ装置２に向けて送信される。また、このとき、未送信の測定情報７９が存在している場合には、これを環境情報８０として含むユーザ情報６１１がデータ作成部６００により作成され、サーバ装置２に向けて送信される。
【０１４７】
メニュー画面６３０に表示されているボタン６３０ａないし６３０ｅには、それぞれ「新規登録」、「育成準備」、「育成観察」、「育成レシピ管理」、「献立管理」の文字が表示されている。ユーザによってボタン６３０ａないし６３０ｅのいずれかが操作されると、それに応じた処理が育成支援システム１において開始される。
【０１４８】
メニュー画面６３０に表示されているボタン６３０ａは、ユーザが新たな育成を開始しようとするときに、操作するボタンである。メニュー画面６３０が表示されている状態で、ボタン６３０ａが操作されると、端末装置６は新規登録処理を開始して、ユーザがこれから新たに開始する育成を育成支援システム１に登録する。言い換えれば、新規登録処理が完了するたびに、育成レシピ情報８を構成する１つのレコードが育成レシピＤＢ２３２に追加される。
【０１４９】
メニュー画面６３０が表示されている状態で、ボタン６３０ｂが操作されると、端末装置６は育成準備処理を開始する。育成準備処理とは、実際の育成を開始するまでの準備を整えるための処理である。育成準備処理を開始する際に、ユーザは育成レシピ情報８のなかから新規登録処理において新たに作成したレコード（未だ育成を開始していない生体に関するレコード）を選択する。育成準備処理では、サーバ装置３から提供される各種商品の購入受付や育成開始までの育成環境の準備方法等について支援が行われる。
【０１５０】
メニュー画面６３０に表示されているボタン６３０ｃが操作されると、端末装置６は育成観察処理を開始する。ユーザは、現在継続中の育成について日記やブログを作成しようとするときや、当該育成について必要な支援（アドバイス）を受けたいときは、図７に示すメニュー画面６３０を端末装置６の表示部６３に表示させてからボタン６３０ｃを操作する。
【０１５１】
メニュー画面６３０に表示されているボタン６３０ｄが操作されると、端末装置６は、育成レシピ管理処理を開始する。育成レシピ管理処理においてユーザは、育成レシピ情報８について閲覧し分析（シミュレーションなど）することが可能であるとともに、自己の育成の状況を表す育成レシピ情報８をサーバ装置２において公開することも可能である。また、ユーザは、サーバ装置２において公開されている他人の作成した育成レシピ情報８を育成レシピＤＢ２３２から選択してダウンロードし、端末装置６にて当該育成レシピ情報８を閲覧することもできる。
【０１５２】
メニュー画面６３０に表示されているボタン６３０ｅが操作されると、端末装置６は、献立管理処理を開始する。献立管理処理においてユーザは、自身が作成した献立に関する情報（調理例等）について閲覧することが可能であるとともに、当該献立に関する情報をサーバ装置２に投稿することも可能である。また、ユーザは、サーバ装置２に対して、献立情報２１２を作成し送信するように要求することもできる。
【０１５３】
以下の説明では、育成支援方法に特に関わる「育成準備処理」「育成観察処理」「育成レシピ管理処理」および「献立管理処理」について説明する。ただし、本発明の優れた効果はこれらの処理に限定されるものではない。
【０１５４】
図８は、育成支援システム１において実行される育成準備処理を示す流れ図である。また、図９は、育成準備処理において表示される準備画面６３１を例示する図である。
【０１５５】
先述のように、メニュー画面６３０が表示されている状態で、ボタン６３０ｂが操作されると、端末装置６は育成準備処理を開始し、その旨を示すユーザ情報６１１がデータ作成部６００により作成されてサーバ装置２に向けて送信される。これに対してサーバ装置２から栽培アドバイス情報２１３が返信され、この栽培アドバイス情報２１３に基づいて出力制御部６０１が準備画面６３１を表示部６３に表示させる（ステップＳ１１）。
【０１５６】
サーバ装置２の抽出部２０３は、育成準備処理が開始されたことを示すユーザ情報６１１に応じて、育成準備を行う育成レシピ情報８を育成レシピＤＢ２３２から抽出するとともに、当該育成レシピ情報８のユーザに関する情報をユーザＤＢ２３０から抽出し、それらを栽培アドバイス部２０５に伝達する。
【０１５７】
栽培アドバイス部２０５は、抽出部２０３から伝達されたユーザに関する情報に含まれる当該ユーザの育成レベル、育成場所、過去の育成レシピ情報８（当該ユーザの過去の育成レシピ情報８は抽出部２０３に対して問い合わせることにより取得できる）等の情報に応じて、育成を開始する候補となる作物（生体）に優先順位を付与し、これをアドバイスとして栽培アドバイス情報２１３に含める。また、当該育成場所についても栽培アドバイス情報２１３に含める。さらに、各生体ごとに、育成を準備する段階で必要になる商品を商品提案部２０４に問い合わせ、商品提案部２０４がサーバ装置３から検索した商品を栽培アドバイス情報２１３に含める。このようにして作成された栽培アドバイス情報２１３に基づいて、ステップＳ１１において出力制御部６０１が最初の準備画面６３１を表示させる。
【０１５８】
準備画面６３１には、生体の名称を表示する表示欄６３１ａ、表示欄６３１ａに表示されている生体に関するアドバイスを表示する表示欄６３１ｂが設けられている。また、準備画面６３１には、生体の育成場所を入力するための入力欄６３１ｃ、生体の入手先（注文先）を入力する入力欄６３１ｄ、生体を植える容器（植木鉢やプランタ等）を入力する入力欄６３１ｅ、土壌を形成するために必要な商品を入力するための入力欄６３１ｆ、および、使用する肥料や殺虫剤等の薬品を入力するための入力欄６３１ｇがそれぞれ設けられている。
【０１５９】
図９に示すように、準備画面６３１に設けられた表示欄６３１ａ，６３１ｂ、および、入力欄６３１ｃ，６３１ｄ，６３１ｅ，６３１ｆ，６３１ｇには、最初から栽培アドバイス情報２１３に基づいて何らかの情報が表示されている。
【０１６０】
初期状態の表示欄６３１ａには、最も優先順位の高い作物がおすすめ度（星印の数）とともに表示される。これによりユーザは、自己の育成環境に最も適した作物が何であるかを容易に知ることができる。
【０１６１】
なお、生体を推奨するにあたって、栽培アドバイス部２０５は過去の育成レシピ情報８を参照する。したがって、過去にユーザの育成環境においてすでに観測された環境情報８０を参照することができ、当該環境情報８０で表される環境（少なくとも一度は実現できた環境）に最も適した作物を推奨できる。
【０１６２】
表示欄６３１ａにはプルダウンボタンが設けられており、選択可能な生体のリストを優先順位に従って表示できるようになっている。ユーザは、すでに表示欄６３１ａに表示されている生体以外の生体について育成を開始しようとする場合は、当該プルダウンボタンを操作して、他の生体を表示させたのち、選択することにより、これから育成を開始する生体を指定することができる。
【０１６３】
なお、表示欄６３１ａに表示されている生体がユーザの選択により変更されると、これに連動して、表示欄６３１ｂおよび入力欄６３１ｄ，６３１ｅ，６３１ｆ，６３１ｇに表示されるアイテム（商品）が変化する。これは、商品提案部２０４が各生体に応じて適切な商品を検索した結果として表示される。
【０１６４】
表示欄６３１ｂに表示される情報は、表示欄６３１ａに表示されている生体に関する、いわゆる基礎情報である。ただし、表示欄６３１ｂに、これまでの当該生体に関する当該ユーザの育成における結果情報８２や、他のユーザの状況等を表示するようにしてもよい。表示欄６３１ｂに表示される情報を確認することにより、ユーザは、育成を開始しようとする生体に関する最低限の知識を得ることができる。
【０１６５】
初期状態の入力欄６３１ｃには、ユーザが生体を育成する場所（ユーザＤＢ２３０から取得された育成場所）が表示される。ユーザは入力欄６３１ｃに設けられているプルダウンボタンを操作することにより、入力欄６３１ｃに自己の育成場所として最も適した名称を入力することもできる。育成支援システム１では、入力欄６３１ｃに育成場所を入力させることにより、単に、地図上の住所だけでなく、育成場所の特徴的な環境を把握することができる。入力欄６３１ｃに入力される情報としては、「屋内」、「地植え」、「ベランダ」等がある。
【０１６６】
初期状態の入力欄６３１ｄには、表示欄６３１ａに表示されている生体の入手先として育成支援システム１（商品提案部２０４）により推奨される販売店が表示される。ユーザは入力欄６３１ｄに設けられているプルダウンボタンを操作することにより、入力欄６３１ｄに自己の希望する入手先を入力することもできる。
【０１６７】
初期状態の入力欄６３１ｅ，６３１ｆ，６３１ｇには、表示欄６３１ａに表示されている生体の育成を準備する段階で必要となる商品が表示される。ユーザは入力欄６３１ｅ，６３１ｆ，６３１ｇに設けられているプルダウンボタンを操作することにより、自己の希望する商品を選択して入力することもできる。
【０１６８】
中止ボタン６３１ｈは、育成準備処理を中止する際に操作するボタンである。また、準備中ボタン６３１ｉは、育成の準備中において、一旦、育成準備処理を終了するためのボタンである。また、注文ボタン６３１ｊは、入力欄６３１ｄに入力されている販売店に生体を注文するとき、あるいは、入力欄６３１ｅ，６３１ｆ，６３１ｇに入力されている商品を注文するときに操作されるボタンである。さらに、育成開始ボタン６３１ｋは、育成の準備が整い、育成を開始させるときに操作されるボタンである。
【０１６９】
図８に戻って、ステップＳ１１を実行すると、端末装置６は、準備画面６３１に対する入力（操作）を受け付けつつ、中止ボタン６３１ｈ、準備中ボタン６３１ｉ、注文ボタン６３１ｊ、および、育成開始ボタン６３１ｋのいずれかが操作されるのを監視している状態となる（ステップＳ１２，Ｓ１３，Ｓ１５，Ｓ１７）。
【０１７０】
準備画面６３１が表示されている状態で中止ボタン６３１ｈが操作されると、端末装置６は育成準備処理を中止して、図７に示すメニュー画面６３０を表示する。このとき、準備画面６３１に対して入力されていた情報は破棄される。
【０１７１】
また、準備画面６３１が表示されている状態で準備中ボタン６３１ｉが操作されると、端末装置６のデータ作成部６００が準備画面６３１に対して入力されている情報に基づいてユーザ情報６１１を作成し、通信部６５が当該ユーザ情報６１１をサーバ装置２に向けて送信する（ステップＳ１４）。そして、ステップＳ１４を実行すると、端末装置６は、育成準備処理を終了して、図７に示すメニュー画面６３０を表示する。
【０１７２】
なお、ステップＳ１４において送信されたユーザ情報６１１に含まれる入力情報は、サーバ装置２の評価記録部２００によって該当する育成レシピ情報８（未だ育成を開始しない）に格納され、保存される。したがって、育成準備処理を再開したときには、以前に入力していた情報に基づいて準備画面６３１が作成され、表示部６３に表示される。
【０１７３】
また、準備画面６３１が表示されている状態で注文ボタン６３１ｊが操作されると、端末装置６のデータ作成部６００が準備画面６３１に対して入力されている情報に基づいてユーザ情報６１１を作成し、通信部６５が当該ユーザ情報６１１をサーバ装置２に向けて送信する（ステップＳ１６）。これにより、ユーザの注文内容が、サーバ装置２からサーバ装置３に対して送信され、ユーザによる商品の注文が行われる。
【０１７４】
さらに、準備画面６３１が表示されている状態で育成開始ボタン６３１ｋが操作されると、端末装置６のデータ作成部６００が準備画面６３１に対して入力されている情報に基づいてユーザ情報６１１を作成し、通信部６５が当該ユーザ情報６１１をサーバ装置２に向けて送信する。そして、このとき送信されたユーザ情報６１１（準備画面６３１に入力されていた情報）は、評価記録部２００によって育成レシピ情報８（主に事象情報８１）に格納される。このとき、育成が開始されたことを示す識別子も当該育成レシピ情報８に格納される。これにより、準備中であった育成が開始される（ステップＳ１８）。ステップＳ１８を実行すると、端末装置６は、育成準備処理を終了して、図７に示すメニュー画面６３０を表示する。
【０１７５】
以上が、育成準備処理の説明である。次に、育成観察処理について説明する。
【０１７６】
図１０および図１１は、育成支援システム１における育成観察処理を示す流れ図である。また、図１２は、育成観察処理において表示される観察画面６３２を例示する図である。ただし、図１２に示す観察画面６３２は、初期状態ではなく、いくつかの情報がすでに入力されている状態を示している。
【０１７７】
図１０において図示を省略しているが、育成観察処理が開始されると、データ作成部６００は、育成観察処理を開始することを示すユーザ情報６１１を作成する。そして、出力制御部６０１が通信部６５を制御することにより、当該ユーザ情報６１１がサーバ装置２に向けて送信される（ステップＳ２１）。
【０１７８】
これにより、ユーザがユーザシステム１１（システムＩＤにより特定される）において育成観察処理を開始したことが、サーバ装置２に通知される。なお、複数の育成が同じユーザシステム１１において並行して行われている場合には、表示部６３が当該複数の育成を一覧表示する。そして、ユーザが、一覧表示された複数の育成から所望する育成を選択すると、選択された育成を示す情報（例えばシステムＩＤにセンサＩＤが付加された情報など）を含むユーザ情報６１１が作成され送信される。
【０１７９】
ステップＳ２１において送信されたユーザ情報６１１に含まれる送信元を示すシステムＩＤに基づいて、抽出部２０３が育成レシピＤＢ２３２を検索し、当該システムＩＤにより示されるユーザシステム１１において継続中の育成レシピ情報８を抽出する（ステップＳ２２）。ステップＳ２２において抽出される育成レシピ情報８は、ユーザが観察しようと所望する育成の状況を表す育成レシピ情報８であり、育成観察処理において観察の対象となる育成の状況を表している。
【０１８０】
ステップＳ２２において抽出された育成レシピ情報８は、栽培アドバイス部２０５に伝達される。栽培アドバイス部２０５は、当該育成レシピ情報８を栽培アドバイス情報２１３に含める。そして、当該栽培アドバイス情報２１３は、端末装置６に向けて送信される（ステップＳ２３）。
【０１８１】
ステップＳ２３においてサーバ装置２から送信された栽培アドバイス情報２１３に応じて、端末装置６の出力制御部６０１が観察画面６３２を作成し表示部６３に表示させる（ステップＳ２４）。
【０１８２】
図１２に示す観察画面６３２には、育成環境表示欄６３２ａ、生体表示欄６３２ｂ、入力欄６３２ｃ，６３２ｄ、気象報知欄６３２ｅ、入力欄６３２ｆ、および、ボタン６３２ｇ，６３２ｈ，６３２ｉ，６３２ｊが設けられている。
【０１８３】
育成環境表示欄６３２ａは、センサモジュール７において取得される測定情報７９に基づいて作成された環境情報８０（図１２に示す例では気温および湿度）や、現在の日時、天気（事象情報８１）等を表示する欄である。なお、センサモジュール７に由来する全ての種類の環境情報８０を育成環境表示欄６３２ａに表示してもよいが、複雑な数値を多数羅列するとユーザの混乱を招くおそれがある。したがって、観察画面６３２には、図１２に示すように、ユーザが比較的容易に把握できる情報に限定して表示するのが好ましい。
【０１８４】
生体表示欄６３２ｂは、育成中の生体を撮影した画像、あるいは、生体を擬似的に表した画像等を表示する欄である。
【０１８５】
入力欄６３２ｃおよび入力欄６３２ｄは、主に事象情報８１を、ユーザが操作部６２を操作することにより入力するために使用される。入力欄６３２ｃには、入力可能な「事象」の一覧を表示させるためのプルダウンボタンが設けられている。図１２では、植物の「成長」を示す事象情報８１として「発芽」が入力される例を示している。
【０１８６】
ただし、入力欄６３２ｃおよび入力欄６３２ｄに入力される情報は、事象情報８１に限定されるものではなく、環境情報８０であってもよい。例えば、センサモジュール７が温度を測定する機能を有していない場合には、ユーザが温度計を用いて計測した温度は、入力欄６３２ｃおよび入力欄６３２ｄに「温度測定」および「28.2℃」として入力される。
【０１８７】
また、入力欄６３２ｃおよび入力欄６３２ｄを用いて結果情報８２が入力される場合もある。例えば、花を観賞することを目的として栽培される植物を育成する場合、「開花」から「落花」までの期間は花を観賞できた期間であり成果とみなせる。このような場合、「落花」を入力することにより育成の成果としての観賞期間（結果情報８２）がＣＰＵ６０によって演算され取得される。また、トマトやナスのように、育成中に、順次、成果物が収穫される生体については、ユーザは収穫するたびに入力欄６３２ｃに事象としての「収穫」を入力し、このとき収穫された収穫物に関する結果情報８２を入力する。
【０１８８】
気象報知欄６３２ｅは、気象報知情報２１１が表示される欄である。出力制御部６０１は、サーバ装置２から気象報知情報２１１を受信したときに、気象報知欄６３２ｅに表示させることにより、ユーザに報知する。なお、気象報知情報２１１の出力形態は、気象報知欄６３２ｅへの表示に限定されるものではなく、メールによる通知や音声による出力等であってもよいし、これらが併用されてもよい。
【０１８９】
入力欄６３２ｆは、ユーザが日記や問い合わせを入力するために使用する欄である。入力欄６３２ｆには、入力した情報が「日記」であるか「問い合わせ」であるかを指定する選択ボタンが設けられている。
【０１９０】
図１２に示す例では、「問い合わせ」が選択されており、問い合わせ事項を指定するためのチェックボックスが表示されている。なお、問い合わせ事項とともに、育成の比較対象となる育成レシピ情報８を絞り込むための条件項目も選択できるように構成してもよい。例えば、標準レシピを参考にするとの指定や、甘い実が収穫できた育成レシピ情報８を参考にするとの指定等が選択できるように構成されていてもよい。また、図示は省略するが、「日記」が選択された場合にはユーザが自由文を入力するためのカーソル等が入力欄６３２ｆに表示される。
【０１９１】
ボタン６３２ｇは、問い合わせ等に対してサーバ装置２から送信された栽培アドバイス情報２１３を表示させるためのボタンである。なお、詳細は図示しないが、ボタン６３２ｇが操作されると、入力欄６３２ｆが栽培アドバイス情報２１３を表示させる領域として使用される。
【０１９２】
ボタン６３２ｈは、観察画面６３２（入力欄６３２ｃ，６３２ｄ，６３２ｆ）に対して入力されている情報をユーザ情報６１１として、サーバ装置２に向けて送信させるためのボタンである。また、ボタン６３２ｉは、育成観察処理を終了させて、メニュー画面６３０を表示させるために操作されるボタンである。さらに、ボタン６３２ｊは、観察中の育成を終了させる際に操作されるボタンである。
【０１９３】
図１０に示すステップＳ２４が実行され、表示部６３に観察画面６３２が表示されている状態において、ＣＰＵ６０は、様々な状態を監視している（ステップＳ２５，Ｓ２７，Ｓ３１，Ｓ３３，Ｓ３６）。
【０１９４】
図１２に示す観察画面６３２が表示されている状態で、端末装置６が新たな気象報知情報２１１を受信すると、ＣＰＵ６０はステップＳ２５においてＹｅｓと判定し、出力制御部６０１が新たに観察画面６３２を表示する（ステップＳ２６）。先述のように、観察画面６３２には気象報知欄６３２ｅが設けられているため、ステップＳ２６において新たに観察画面６３２を作成し表示させると、当該気象報知欄６３２ｅには、新たに受信された気象報知情報２１１が表示される。
【０１９５】
サーバ装置２の気象部２０１は、定期的にサーバＤＢ２３１を参照しサーバ装置４のネットワークアドレスを取得してアクセスし、サーバ装置４に対して気象情報に関する問い合わせを行う。そして、得られた気象情報において、生体に重大な影響を及ぼすおそれのある事象（強風、台風、大雨、長雨、高温、雹あるいは霜等）が含まれているか否かを点検する。
【０１９６】
そして、そのような事象が含まれている場合、当該事象の発生する可能性の高いレコード（育成レシピＤＢ２３２の育成レシピ情報８）を抽出部２０３に抽出させるとともに、当該抽出された育成レシピ情報８に対応するユーザシステム１１のシステムＩＤを抽出部２０３より受け取る。そして通信部２９に、これらの情報を気象報知情報２１１としてユーザシステム１１に向けて送信させる。
【０１９７】
すなわち、サーバ装置２では、育成観察処理が継続されている間にも、サーバ装置４からの気象情報によってユーザが育成を行っている地域に関する気象を監視している。そして、気象情報から育成に重大な影響を与えるおそれのある情報が抽出された場合には、気象報知情報２１１が新たに作成されて、当該ユーザシステム１１に向けて送信される。
【０１９８】
図１２に示す観察画面６３２が表示されている状態で、「アドバイス確認」の文字が表示されているボタン６３２ｇが操作されると、ＣＰＵ６０は、図１０に示すステップＳ２７においてＹｅｓと判定する。そして、出力制御部６０１が、受信している栽培アドバイス情報２１３を入力欄６３２ｆに表示させる（ステップＳ２８）。
【０１９９】
これにより、ユーザは、サーバ装置２から受信した栽培アドバイス情報２１３を確認することができる。なお、新たに栽培アドバイス情報２１３を受信したときには、出力制御部６０１がボタン６３２ｇの表示を反転表示させるなど、ユーザが容易にその旨を知得できるようにすることが好ましい。また、栽培アドバイス情報２１３の内容によっては、ボタン６３２ｅが操作されなくても、観察画面６３２に何らかの状態で表示されてもよい。すなわち、栽培アドバイス情報２１３を確認するためには、ボタン６３２ｅが必ず操作されなければならないわけではない。
【０２００】
観察画面６３２が表示されている状態において、「送信」の文字が表示されているボタン６３２ｈが操作されると、ＣＰＵ６０は、ステップＳ３１においてＹｅｓと判定する。そして、観察画面６３２（入力欄６３２ｃ，６３２ｄ，６３２ｆ）に入力されている未だ送信されていない入力情報に基づいて、データ作成部６００が当該入力情報を含むユーザ情報６１１を作成し、当該ユーザ情報６１１が通信部６５によりサーバ装置２に向けて送信される（ステップＳ３２）。
【０２０１】
観察画面６３２が表示されている状態において、「観察終了」の文字が表示されているボタン６３２ｉが操作されると、ＣＰＵ６０は、ステップＳ３３においてＹｅｓと判定し、さらに、観察画面６３２（入力欄６３２ｃ，６３２ｄ，６３２ｆ）に未だ送信されていない入力情報が存在するか否かを判定する（ステップＳ３４）。
【０２０２】
そして、入力情報が存在する場合（ステップＳ３４においてＹｅｓ）、データ作成部６００が当該入力情報を含むユーザ情報６１１を作成し、当該ユーザ情報６１１が通信部６５によりサーバ装置２に向けて送信される（ステップＳ３５）。その後、端末装置６は育成観察処理を終了し、出力制御部６０１が表示部６３にメニュー画面６３０を表示させる。
【０２０３】
一方、入力情報が存在しない場合（ステップＳ３４においてＮｏ）、ＣＰＵ６０はステップＳ３５をスキップして育成観察処理を終了する。育成観察処理が終了すると、出力制御部６０１は表示部６３にメニュー画面６３０を表示させる。
【０２０４】
観察画面６３２が表示されている状態において、「育成終了」の文字が表示されているボタン６３２ｊが操作されると、ＣＰＵ６０は、ステップＳ３６においてＹｅｓと判定する。そして、データ作成部６００が、育成を終了する旨を示すユーザ情報６１１を作成し、当該ユーザ情報６１１がサーバ装置２に向けて送信される（ステップＳ３７）。
【０２０５】
ステップＳ３７において送信されたユーザ情報６１１がサーバ装置２に受信されることにより、評価記録部２００が、観察中の育成レシピ情報８の評価（成果評価）を行い、結果情報８２として当該育成レシピ情報８に格納するとともに、育成が終了したことを示す識別子を格納する。
【０２０６】
また、ステップＳ３７が実行されると、端末装置６は育成観察処理を終了し、出力制御部６０１が表示部６３にメニュー画面６３０を表示させる。
【０２０７】
以上が、育成観察処理である。次に、育成レシピ管理処理について説明する。
【０２０８】
図７に示すメニュー画面６３０が表示されている状態で、「育成レシピ管理」の文字が表示されているボタン６３０ｄが操作されると、育成支援システム１は、育成レシピ管理処理を開始する。
【０２０９】
育成レシピ管理処理とは、すでに育成レシピＤＢ２３２に登録されている育成レシピ情報８をダウンロード、閲覧、分析、あるいは、シミュレーションする処理である。
【０２１０】
ここでは、育成レシピ管理処理のうち、ユーザが自己の評価値を表示させ、確認する処理についてのみ説明する。
【０２１１】
育成レシピ管理処理が開始されると、端末装置６のデータ作成部６００が、育成レシピ管理処理を開始したことを示すユーザ情報６１１を作成する。そして、出力制御部６０１の制御により、通信部６５が当該ユーザ情報６１１をサーバ装置２に向けて送信する。
【０２１２】
このとき送信されたユーザ情報６１１を受信すると、サーバ装置２の抽出部２０３は、当該ユーザ情報６１１に格納されているシステムＩＤによってユーザＤＢ２３０を検索することにより、ユーザを特定する。
【０２１３】
次に、抽出部２０３は、特定したユーザのユーザＩＤによって育成レシピＤＢ２３２を検索し、当該ユーザによってこれまでに行われた育成に関する育成レシピ情報８を特定し、栽培アドバイス部２０５に伝達する。栽培アドバイス部２０５は、このようにして特定した育成レシピ情報８の育成レシピＩＤに基づいて栽培アドバイス情報２１３を作成する。この栽培アドバイス情報２１３は、通信部２９により端末装置６に向けて送信される。
【０２１４】
このようにしてサーバ装置２から送信された栽培アドバイス情報２１３を受信すると、端末装置６の出力制御部６０１は、当該栽培アドバイス情報２１３に含まれている育成レシピＩＤにより当該ユーザがこれまでに開始している育成（未だ終了していない育成でもよい）の一覧を表示する。
【０２１５】
ユーザは、操作部６２を操作して、出力制御部６０１により表示部６３に表示された一覧から、評価値を確認したいと所望する育成レシピ情報８を選択する。これにより、選択された育成レシピ情報８の育成レシピＩＤを含むユーザ情報６１１がサーバ装置２に向けて送信される。
【０２１６】
ユーザにより選択された育成レシピ情報８を示す育成レシピＩＤを含むユーザ情報６１１がサーバ装置２により受信されると、抽出部２０３が当該育成レシピＩＤに応じて、育成レシピＤＢ２３２から該当する育成レシピ情報８を抽出し、栽培アドバイス部２０５に伝達する。
【０２１７】
栽培アドバイス部２０５は、当該育成レシピ情報８を含む栽培アドバイス情報２１３を作成する。当該栽培アドバイス情報２１３は、端末装置６に向けて送信され、これを受信した端末装置６において、出力制御部６０１が、当該栽培アドバイス情報２１３（育成レシピ情報８）を表示部６３に表示させるとともに、当該育成レシピ情報８において指定可能な比較点（生体の状態）を表示させる。
【０２１８】
ユーザは、確認したいと所望する比較評価値の比較点を選択し、これにより、当該比較点を含むユーザ情報６１１がサーバ装置２に向けて送信される。
【０２１９】
次に、サーバ装置２の抽出部２０３が、受信したユーザ情報６１１からユーザにより選択された比較点と、育成レシピ情報８の育成レシピＩＤとを取得して、これらの情報を評価記録部２００に伝達する。これにより、評価記録部２００によって、比較点における比較評価値が求められ、抽出部２０３に伝達される。
【０２２０】
また、抽出部２０３は、対象となっている育成レシピ情報８における生体と同一の生体についての育成レシピ情報８の育成レシピＩＤを、上記比較点とともに評価記録部２００に伝達する。これにより、他の育成レシピ情報８の上記比較点における比較評価値が求められ、抽出部２０３に伝達される。
【０２２１】
抽出部２０３は伝達された全ての比較評価値を栽培アドバイス部２０５に伝達し、栽培アドバイス部２０５は伝達された全ての比較評価値を含む栽培アドバイス情報２１３を作成する。
【０２２２】
さらに、抽出部２０３は、対象となっている育成レシピ情報８が、すでに終了した育成に関する育成レシピ情報８であるか否かを判定する。そして、当該育成レシピ情報８が未だ終了していない育成に関する育成レシピ情報８である場合、当該育成レシピ情報８に近似しており、かつ、すでに終了している育成に関する育成レシピ情報８を育成レシピＤＢ２３２から抽出して、当該育成レシピ情報８に含まれる成果評価値（あるいは結果情報８２）を栽培アドバイス部２０５に伝達する。栽培アドバイス部２０５は伝達された成果評価値を含む栽培アドバイス情報２１３を作成する。
【０２２３】
このようにして作成された、全ての比較評価値と１つの成果評価値とを含む栽培アドバイス情報２１３は、端末装置６に向けて送信され、これを受信した端末装置６の出力制御部６０１が表示部６３に表示させる。
【０２２４】
図１３は、比較点における比較評価値を表示する例を示す図である。また、図１４は、成果評価値を表示する例を示す図である。
【０２２５】
本実施の形態における育成支援システム１では、比較評価値を、図１３に示すように、円グラフで表示する。このとき、ユーザの比較評価値を含む箇所を強調して表示する。図１３に示す例では、比較点として、「芽生え」が選択されている。そして、ユーザの「芽生え」の段階における比較評価値が「４」であり、全ての比較評価値において上位９％に含まれていることがわかる。
【０２２６】
図１３のように、ユーザの比較評価値が表示されることにより、ユーザは自己の育成の状況を、任意の段階（比較点）ごとに、正確に把握することができ、その時点において他のユーザがどのように分布しているかも容易に確認できる。
【０２２７】
また、比較点における比較評価値を順次に表示させて確認すれば、いつの段階で、育成状況が好転（あるいは暗転）したのか、あるいは、その時点で行った作業や対処方法の良否についても分析することができる。
【０２２８】
また、本実施の形態における育成支援システム１では、成果評価値を、図１４に示すように、レーダーチャートで表示する。なお、未だ成果評価値が求められていない育成に関しても、栽培アドバイス情報２１３に、上記のとおり、近似した育成レシピ情報８の成果評価値が格納されているので、これを用いることにより予測評価値として表示させることができる。
【０２２９】
図１４のように、成果評価値（予測評価値）がレーダーチャートで表示されることによって、ユーザは、自己の育成に関して、どのような項目が優れており、どのような項目が劣っていたのかが容易に確認できる。
【０２３０】
また、どのような項目がどのような項目に影響を与えたのかも理解できる。例えば、図１４に示す例では、病害虫が発生しなかった（評価「５」）ことによって「育成期間」は良い結果（評価「４」）となったが、「実の大きさ」や「実の多さ」にはあまり影響を与えていないのではないかと理解できる。
【０２３１】
また、未だ終了していない育成についても予測評価値が表示されるので、ユーザは育成の成果を容易に予測することができる。そして、現状で劣っている項目を把握することにより、今後、アドバイスを求めるべき事項も容易に把握できる。例えば、図１４に示す例では、評価の低い項目である「実の大きさ」に重点を置いてアドバイスを受けるべきであることが容易に理解できる。
【０２３２】
以上が、育成レシピ管理処理における評価値（比較評価値および成果評価値）の表示方法である。次に、献立管理処理について説明する。
【０２３３】
図７に示すメニュー画面６３０が表示されている状態で、「献立管理」の文字が表示されているボタン６３０ｅが操作されると、育成支援システム１は、献立管理処理を開始する。
【０２３４】
献立管理処理が開始されると、端末装置６のデータ作成部６００は、献立管理処理を開始したことを示すユーザ情報６１１を作成する。そして、通信部６５が、当該ユーザ情報６１１をサーバ装置２に向けて送信する。
【０２３５】
このとき送信されたユーザ情報６１１を受信すると、サーバ装置２の献立提案部２０２は、当該ユーザ情報６１１に格納されているシステムＩＤによってユーザＤＢ２３０を検索することにより、ユーザを特定する。
【０２３６】
次に、献立提案部２０２は、特定したユーザのユーザＩＤによって育成レシピＤＢ２３２を検索し、当該ユーザによってこれまでに行われた育成に関する育成レシピ情報８を特定する。そして、献立提案部２０２は、このようにして特定した育成レシピ情報８の育成レシピＩＤをユーザシステム１１に向けて送信させる。
【０２３７】
端末装置６のＣＰＵ６０は、この育成レシピＩＤにより当該ユーザがこれまでに行った育成（収穫物が得られている育成）の一覧を表示する。ユーザは、表示されている一覧から、どの育成に関して得られた収穫物についての献立を検索するかを決定し選択する。このとき、手持ちの食材があれば、当該手持ちの食材に関する情報（食材種別、数、大きさ等）を入力する。
【０２３８】
この操作によって、ユーザに選択された育成レシピ情報８の育成レシピＩＤとユーザにより入力された手持ちの食材に関する情報とを含むユーザ情報６１１がデータ作成部６００により作成され、サーバ装置２に向けて送信される。
【０２３９】
送信されたユーザ情報６１１がサーバ装置２において受信されると、献立提案部２０２は、ユーザによって選択された育成レシピ情報８を育成レシピＤＢ２３２から抽出し、当該育成レシピ情報８から結果情報８２を取得する。これにより、献立提案部２０２は、献立に使用できる収穫物の種別、収穫量、品質等の情報を得ることができる。なお、このとき、献立提案部２０２は、同一のユーザの他の育成レシピ情報８を参照して、当該育成レシピ情報８の結果情報８２から当該ユーザの他の手持ちの食材に関する情報を取得する。
【０２４０】
献立提案部２０２は、育成レシピ情報８から取得した収穫物の種別、収穫量、品質、手持ちの食材等の情報に基づいて、サーバ装置５のお料理サイトを検索し、献立の候補を抽出する。このとき、献立提案部２０２は、ユーザのアレルギーや好き嫌い、ユーザの居住地の直近の気候等に応じて、献立候補の絞り込みを行う。
【０２４１】
献立提案部２０２は、このようにして絞り込まれた献立候補のレシピをサーバ装置５から取得して献立情報２１２を作成する。そして、通信部２９が、当該献立情報２１２をユーザシステム１１に向けて送信する。
【０２４２】
サーバ装置２から送信された献立情報２１２を受信すると、端末装置６の出力制御部６０１は、受信した献立情報２１２を表示部６３に表示させる。
【０２４３】
これにより、ユーザは育成支援システム１から提供された献立情報２１２を確認して、育成支援システム１において育成し収穫した野菜等を活用することができる。なお、献立管理処理においては、ユーザが自身で作成した献立をサーバ装置２に投稿したり、実際につくった料理の評価を投票したりすることができるが、説明は省略する。
【０２４４】
以上のように、生体の育成を支援する育成支援システム１は、育成の状況を表す育成レシピ情報８を記憶するハードディスク２３と、育成の状況を評価する評価記録部２００と、現在の育成の状況を表す育成レシピ情報８を取得するとともに、ハードディスク２３から、評価記録部２００による評価が取得された現在の育成の状況よりも優れている育成の状況を表す育成レシピ情報８を、比較対象となる育成レシピ情報８として抽出する抽出部２０３と、抽出部２０３により抽出された比較対象となる育成レシピ情報８と現在の育成の状況を表す育成レシピ情報８とを比較することにより、現在の育成を行っているユーザに向けた栽培アドバイス情報２１３を作成する栽培アドバイス部２０５とを備える。これにより、現在の育成の状況を評価して、当該評価の結果に応じて比較対象の育成レシピ情報８を抽出することにより、単純に優れた結果が得られたときの育成の状況をトレースするような栽培アドバイス情報２１３を作成する場合に比べて、現在の育成の状況に応じた栽培アドバイス情報２１３を作成することができる。
【０２４５】
また、比較対象となる育成レシピ情報８は、現在の育成の状況に対する評価記録部２００による評価と近似した評価を有する育成の状況を表す育成レシピ情報８から抽出される。これにより、現在の育成の状況よりも優れており、かつ、近似した評価のものを指標とすることができ、実現性が向上する。
【０２４６】
また、比較対象となる育成レシピ情報８は、現在の育成の状況を表す育成レシピ情報８に近似した育成の状況を表す育成レシピ情報８から抽出されることにより、的確なアドバイスを行うことができるとともに、実現性が向上する。
【０２４７】
また、ハードディスク２３に生体の育成を行うユーザに関する情報を記憶し、献立提案部２０２が、収穫された生体とハードディスク２３に記憶された当該ユーザに関する情報とに応じて、収穫された生体を使った献立を提案することにより、ユーザの状況に応じたきめ細かい献立を提案ができる。
【０２４８】
また、ハードディスク２３に記憶されるユーザに関する情報は、当該ユーザによって忌避される食品に関する情報を含むことにより、献立提案部２０２が当該ユーザのアレルギーや好き嫌いを考慮して、献立を提案することができる。
【０２４９】
また、献立提案部２０２が、ハードディスク２３に記憶されたユーザに関する情報に基づいて、当該ユーザの居住地における気象情報を取得し、取得した気象情報に応じて、当該ユーザに対する献立を提案することにより、近時の天候に適した献立を提案できる。
【０２５０】
また、気象部２０１により取得された気象情報とハードディスク２３に記憶されている生体の育成場所を示す情報とに応じて、当該生体を育成しているユーザに対する気象報知情報２１１を作成することにより、生体の育成に影響の大きい気象現象を予めユーザに知らせることができる。
【０２５１】
また、気象部２０１は、ハードディスク２３に記憶されている育成の状況を表す育成レシピ情報８に応じて、気象報知情報２１１を作成することにより、単なる地域ごとの気象情報よりも細やかな情報を提供できる。
【０２５２】
また、サーバ装置３が育成に関連する商品に関する情報を記憶しており、商品提案部２０４が、抽出部２０３により抽出された比較対象となる育成レシピ情報８と現在の育成の状況を表す育成レシピ情報８とを比較した結果に応じて、当該商品の中から、現在の育成に適した商品を選択し提案する。これにより、育成の状況に応じて、市場に流通している商品を提案することができ、より具体的な育成支援を行うことができる。
【０２５３】
＜２．  変形例＞
以上、本発明の実施の形態について説明してきたが、本発明は上記実施の形態に限定されるものではなく様々な変形が可能である。
【０２５４】
例えば、育成する対象となっている生体が、植物のようにあまり移動することのない生体である場合、端末装置６とセンサモジュール７との間の通信に、「有線」を採用してもよい。すなわち、端末装置６とセンサモジュール７とを通信ケーブルで接続する構成にしてもよい。
【０２５５】
また、端末装置６とセンサモジュール７とがそれぞれ異なる装置を構成していなくてもよい。すなわち、端末装置６とセンサモジュール７とが一体構造の装置として構成されていてもよい。
【０２５６】
また、上記実施の形態に示した機能ブロック（抽出部２０３や栽培アドバイス部２０５等）は、ソフトウェアによって実現されていたが、これらの機能ブロックによって実現される機能の一部または全部を、専用の論理回路（ハードウェア）により実現してもよい。
【０２５７】
また、上記実施の形態に示した各工程は、あくまでも例示であって、同様の効果が得られるならば、その順序や内容が適宜変更されてもよい。
【０２５８】
また、出力制御部６０１が制御する出力装置は上記実施の形態に示す装置（表示部６３およびスピーカ６４）に限定されるものではない。例えば、端末装置６は、紙媒体に画像を形成する印刷部を備えていてもよい。すなわち、出力制御部６０１が育成レシピ情報８に基づいて印刷部を制御することにより、動植物の育成に関する日記帳等が印刷される構成としてもよい。
【０２５９】
また、サーバシステム１０などの外部の装置から取得される情報（例えば、コピーの育成レシピ情報８等の公開情報）は、通信部６５を介したデータ通信によって取得されるのみならず、ＣＤ−ＲＯＭやＵＳＢメモリといった可搬性の記録媒体に格納された状態で配布されてもよい。
【符号の説明】
【０２６０】
１  育成支援システム
１０  サーバシステム
１１  ユーザシステム
２，３，４，５  サーバ装置
２０  ＣＰＵ
２００  評価記録部
２０１  気象部
２０２  献立提案部
２０３  抽出部
２０４  商品提案部
２０５  栽培アドバイス部
２１１  気象報知情報
２１２  献立情報
２１３  栽培アドバイス情報
２２０  プログラム
２３  ハードディスク
２３０  ユーザＤＢ
２３２  育成レシピＤＢ
６  端末装置
６０  ＣＰＵ
６００  データ作成部
６０１  出力制御部
６１  記憶装置
６１０  プログラム
６１１  ユーザ情報
７  センサモジュール
７０  ＭＣＵ
７００  プログラム
７９  測定情報
８  育成レシピ情報
８０  環境情報
８１  事象情報
８２  結果情報
９  ネットワーク
【図１】
0005677655.tif 000002
【図２】
0005677655.tif 000003
【図３】
0005677655.tif 000004
【図４】
0005677655.tif 000005
【図５】
0005677655.tif 000006
【図６】
0005677655.tif 000007
【図７】
0005677655.tif 000008
【図８】
0005677655.tif 000009
【図９】
0005677655.tif 000010
【図１０】
0005677655.tif 000011
【図１１】
0005677655.tif 000012
【図１２】
0005677655.tif 000013
【図１３】
0005677655.tif 000014
【図１４】
0005677655.tif 000015